(57)【要約】【課題】  簡単な構成で装置外部からの静電気の印加を防止し、プラグを被覆する絶縁部材の寸法のバラツキにも対処できるコネクタとプラグの接続構造を提供する。【解決手段】  ＵＳＢプラグ１０の絶縁部材１３に溝１４を形成し、ＵＳＢプラグ１０の挿抜方向に沿って環状部材１１の内周部と重合する絶縁部となる側壁部１４ａ，１４ｂを設ける。絶縁部材１３の外形寸法のバラツキや経年変化等による縮径化によって絶縁部材１３と環状部材１１との間の圧接状態が確保されなくなった状況下においても、絶縁部材１３と環状部材１１との間の嵌合部における２つの段差部の存在が保証されるので、この凹状に入り組んだ形状の間隙によって装置外部からの静電気の印加を効果的に防止することができる。【選択図】図２
2006164712.tif 000002
【特許請求の範囲】
【請求項１】
コネクタを内蔵した装置のケーシングに穿設されたプラグ挿入孔に絶縁性を有する弾性変形可能な環状部材を設け、前記コネクタに接続するプラグを被覆した絶縁部材の外周部と前記環状部材の内周部とを当接させて装置外部からの静電気の印加を防止すべく構成したコネクタとプラグの接続構造であって、
前記絶縁部材の外周部には、前記プラグを前記コネクタに接続した状態で前記プラグの挿抜方向に沿って前記環状部材の内周部と重合する絶縁部が形成されていることを特徴とするコネクタとプラグの接続構造。
【請求項２】
前記環状部材の内周部の形状を前記絶縁部材の外周部の形状よりも相対的に小さな寸法で形成すると共に、前記絶縁部材の外周部には、前記環状部材の内周部が突入する溝を設け、この溝の２つの側壁部によって前記絶縁部を形成したことを特徴とする請求項１記載のコネクタとプラグの接続構造。
【請求項３】
前記環状部材の内周部の形状を前記絶縁部材の外周部の形状と同等の寸法で形成すると共に、前記絶縁部材の外周部に突条を設け、この突条によって前記絶縁部を形成したことを特徴とする請求項１記載のコネクタとプラグの接続構造。
【請求項４】
前記絶縁部は、前記プラグを前記コネクタに接続した状態で前記環状部材よりも装置内部に突入する位置に形成されていることを特徴とする請求項３記載のコネクタとプラグの接続構造。
【請求項５】
前記絶縁部は、前記プラグを前記コネクタに接続した状態で前記環状部材よりも装置内部に突入する位置と前記環状部材よりも装置外側に突出する位置の各々に形成されていることを特徴とする請求項３記載のコネクタとプラグの接続構造。
【請求項６】
前記環状部材の内周部に、前記絶縁部材の突入をガイドするテーパ面が形成されていることを特徴とする請求項２，請求項４，請求項５記載のコネクタとプラグの接続構造。
【請求項７】
前記コネクタおよびプラグがＵＳＢコネクタおよびＵＳＢプラグであることを特徴とする請求項１，請求項２，請求項３，請求項４，請求項５または請求項６記載のコネクタとプラグの接続構造。
【発明の詳細な説明】
【技術分野】
【０００１】
本発明は、装置外部からの静電気の印加を防止するためのコネクタとプラグの接続構造の改良に関する。
【背景技術】
【０００２】
装置のケーシングに穿設されたプラグ挿入孔に設けられた環状部材の内周部とプラグを被覆した絶縁部材の外周部とを当接させて装置外部からの静電気の印加を防止するようにしたコネクタとプラグの接続構造に関しては図４に示されるようなものが公知である。
図４において、符号１はハードディスクドライブ等を始めとするコンピュータ周辺装置のケーシングであり、ケーシング１の内部にはプリント基板２が配備され、プリント基板２上にケーブル接続用のコネクタ３が固設されている。そして、ケーシング１の側面にはプラグ５を通すためのプラグ挿入孔６が穿設され、このプラグ挿入孔６の内周部に凹凸嵌合するかたちで、絶縁性を有する弾性変形可能な環状部材７が固設されている。また、ケーブル４の先端に設けられたプラグ５の外周部は、合成樹脂等からなる絶縁部材８で被覆されている。
装置外部からの静電気の印加を防止する必要上、プラグ５を被覆した絶縁部材８の外周部と環状部材７の内周部とが適度な力で圧接されて当接していることが望ましいが、実際には、様々なメーカーから提供されるケーブル４の取り付けに対処して互換性を保証する必要があり、プラグ部分の構造体の最大外形つまり絶縁部材８の外形寸法の最大値のみが規格化されている。
従って、絶縁部材８の外形寸法は前述の最大値を超えない範囲で区々であり、例えば、装置のメーカーが指定する以外のケーブルをユーザが利用した場合、あるいは、指定するケーブルを使用した場合であっても、経年変化等で絶縁部材８の外径が縮径したような場合においては、環状部材７の内周部と絶縁部材８の外周部との間に間隙（Δｄ）が生じることがあり、装置外部から静電気が印加されると装置類のストールの原因となる可能性がある。
【０００３】
静電気の印加の防止に転用可能な従来技術としては、例えば、特許文献１で開示されるコネクタの抜け防止機構や特許文献２に開示される電気コネクタ等が公知である。
【０００４】
特許文献１のコネクタの抜け防止機構は、ＵＳＢ（Universal
Serial Bus）のプラグに外嵌されたプラスチック製のキャップをスライドさせ、キッャップ先端部の爪を装置のプラグ挿入孔の内周部に凹凸嵌合させてプラグの抜けを防止するものであるが、キャップをＵＳＢプラグに後付けする関係上キャップの一面が開放状態となっており、十分な絶縁機能を発揮することができない問題がある。
【０００５】
また、特許文献２の電気コネクタは、導電性を有するシェルを組み合わせてＥＭＩ遮蔽特性を得るもので、電気を逃がすための接地コンタクト等を必要とし、構造の煩雑さや製造コストの面で問題が残る。
【０００６】
【特許文献１】特開２００１−１３５４１３号公報
【特許文献２】特開２００１−３４５１５０号公報
【発明の開示】
【発明が解決しようとする課題】
【０００７】
そこで、本発明の課題は、前記従来技術の不都合を改善し、簡単な構成で装置外部からの静電気の印加を防止することができ、また、プラグを被覆する絶縁部材の寸法のバラツキにも対処することのできるコネクタとプラグの接続構造を提供することにある。
【課題を解決するための手段】
【０００８】
本発明は、コネクタを内蔵した装置のケーシングに穿設されたプラグ挿入孔に絶縁性を有する弾性変形可能な環状部材を設け、コネクタに接続するプラグを被覆した絶縁部材の外周部と前記環状部材の内周部とを当接させて装置外部からの静電気の印加を防止すべく構成したコネクタとプラグの接続構造であり、前記課題を達成するため、
絶縁部材の外周部に、前記プラグを前記コネクタに接続した状態でプラグの挿抜方向に沿って環状部材の内周部と重合する絶縁部が形成されていることを特徴とする構成を有する。
【０００９】
以上の構成により、プラグをコネクタに接続すると、プラグを被覆した絶縁部材の外周部に形成された絶縁部が、プラグの挿抜方向に沿って環状部材の内周部と重合する。
この結果、絶縁部材と環状部材との間に、少なくとも１つの段差部を有する嵌合部が形成される。
絶縁部材の外形寸法のバラツキや経年変化等による縮径化によって絶縁部材と環状部材との間の圧接状態が確保されなくなった状況下においても、絶縁部材と環状部材との間の嵌合部における段差部の存在が確実に保証されるので、絶縁部材と環状部材との間に間隙が生じたとしても、その間隙は入り組んだ形状となる。この入り組んだ形状の間隙によって静電気の通り道を曲げて金属部分への縁面距離を確保することで、従来の直進的な隙間と比べ、装置外部からの静電気の印加を効果的に防止することができる。
【００１０】
より具体的な構成としては、例えば、環状部材の内周部の形状を絶縁部材の外周部の形状よりも相対的に小さな寸法で形成すると共に、絶縁部材の外周部には、前記環状部材の内周部が突入する溝を設け、この溝の２つの側壁部によって絶縁部を形成することができる。
【００１１】
このように、絶縁部材の外周部形状の寸法を基準とし、これよりも小さな寸法で環状部材の内周部を形成することで、プラグを被覆する絶縁部材を大型化することなく、絶縁部材と環状部材との間の圧接状態を確保することができる。
また、絶縁部材と環状部材との間に間隙が生じた場合においても、絶縁部材の溝が有する２つの側壁部によって形成される２つの絶縁部によって入り組んだ形状の間隙を得ることができ、装置外部からの静電気の印加を更に効果的に防止することができる。このような構成を適用した場合に得られる間隙の形状は具体的には凹状のもので、段差部の数は２つである。
しかも、プラグをコネクタに接続した状態で絶縁部材の溝の片方の側壁によって形成される絶縁部が環状部材の内周部に引っ掛かるため、コネクタに接続されたプラグが不用意に抜け落ちるといった不都合も効果的に解消することができる。
【００１２】
あるいは、環状部材の内周部の形状を絶縁部材の外周部の形状と同等の寸法で形成し、絶縁部材の外周部に突条を設け、この突条によって絶縁部を形成するといったことも可能である。
【００１３】
絶縁部材の外周部に絶縁部となる突条を設ける関係上、プラグを被覆する絶縁部材の最大外形が多少は大型化するが、前記と同等の作用効果を得ることが可能である。
【００１４】
絶縁部材の外周部に絶縁部となる突条を設ける場合は、プラグをコネクタに接続した状態で環状部材よりも装置内部に突入する位置に突条を形成するとよい。
【００１５】
プラグをコネクタに接続した状態で絶縁部材の突条からなる絶縁部が環状部材の内周部に引っ掛かるため、コネクタに接続されたプラグが不用意に抜け落ちるといった不都合を効果的に解消することができる。
【００１６】
更に、プラグをコネクタに接続した状態で環状部材よりも装置内部に突入する位置と環状部材よりも装置外側に突出する位置の各々に突条を形成することも可能である。
【００１７】
このような構成を適用した場合、絶縁部材と環状部材との間に形成される間隙の形状が複雑化されるので、装置外部からの静電気の印加を更に効果的に防止することができる。この場合に得られる間隙の形状は具体的には凹状のもので、段差部の数は２つである。
また、プラグをコネクタに接続した状態で絶縁部材の突条の１つが環状部材の内周部に引っ掛かるため、コネクタに接続されたプラグが不用意に抜け落ちるといった不都合を効果的に解消することができる。
【００１８】
プラグをコネクタに接続した状態で絶縁部が環状部材よりも装置内部に突入する構造を適用した場合には、環状部材の内周部に、絶縁部材の突入をガイドするテーパ面が形成されていることが望ましい。
【００１９】
プラグの挿抜方向に沿って環状部材の内周部と重合する絶縁部、つまり、環状部材の内周部に引っ掛かりを生じる絶縁部をテーパ面に沿って容易に装置内部側に突入させることができ、環状部材の内周部や絶縁部材の絶縁部の損傷が防止される。
【００２０】
前述したコネクタとプラグの接続構造を適用してＵＳＢコネクタおよびＵＳＢプラグを構成することができる。
【００２１】
前述した通り、接続構造の構成が簡便であり、また、プラグやプラグを被覆する絶縁部材を格別に大型化する必要もないので、特に、狭いスペースに密集して配備されるＵＳＢコネクタとＵＳＢプラグに有効である。
【発明の効果】
【００２２】
本発明によるコネクタとプラグの接続構造は、プラグの挿抜方向に沿って環状部材の内周部と重合する絶縁部をプラグ側の絶縁部材の外周部に形成し、プラグをコネクタに接続した状態で絶縁部材と環状部材との間に少なくとも１つの段差部を有する嵌合部が形成されるようにしたので、絶縁部材の外形寸法のバラツキや経年変化等による縮径化によって絶縁部材と環状部材との間の圧接状態が確保されなくなった状況下においても、絶縁部材と環状部材との間の嵌合部における段差部の存在が確実に保証される。
従って、絶縁部材と環状部材との間に間隙が生じたとしても、段差部を有する入り組んだ形状の間隙によって静電気の通り道を曲げて金属部分への縁面距離を確保することができ、装置外部からの静電気の印加を効果的に防止できる。
【発明を実施するための最良の形態】
【００２３】
次に、本発明を実施するための最良の形態について図面を参照して詳細に説明する。図１は、本発明によるコネクタとプラグの接続構造の一実施形態について示した断面図である。
【００２４】
図１において、符号１はハードディスクドライブ等を始めとするコンピュータ周辺装置のケーシングであり、ケーシング１の内部にはプリント基板２が配備され、プリント基板２上にケーブル接続用のＵＳＢコネクタ９が固設されている。そして、ケーシング１の側面にはＵＳＢプラグ１０を通すためのプラグ挿入孔６が穿設され、このプラグ挿入孔６の内周部に凹凸嵌合するかたちで、絶縁性を有する弾性変形可能な環状部材１１が固設されている。環状部材１１は接着等の手段でケーシング１に固着してもよい。また、ＵＳＢケーブル１２の先端に設けられたＵＳＢプラグ１０の外周部は合成樹脂等からなる絶縁部材１３で被覆されている。
【００２５】
環状部材１１の内周部の形状は絶縁部材１３の外周部の形状に対応しており、例えば、絶縁部材１３の断面の外形輪郭が円形であれば環状部材１１の内周部の形状も円形であり、絶縁部材１３の断面の外形輪郭が矩形であれば環状部材１１の内周部の形状も矩形である。
【００２６】
環状部材１１の内周部の寸法（ｄ１）は絶縁部材１３の外周部の寸法（Ｄ１）よりも相対的に小さい。そして、絶縁部材１３の外周部には、図２に示されるようにしてＵＳＢプラグ１０をＵＳＢコネクタ９に接続した状態で、環状部材１１の内周部が突入する溝１４が一巡して設けられている。図１に示すように、この実施形態における環状部材１１の内周部の寸法（ｄ１）は、溝１４の外周部の寸法（Ｄ２）と実質的に同等であるか、より望ましくは、溝１４の外周部の寸法（Ｄ２）に比べて僅かに小さい。
【００２７】
つまり、図２に示されるようにしてＵＳＢプラグ１０をＵＳＢコネクタ９に接続した状態で、弾性変形可能な環状部材１１の弾性復帰力によって溝１４の外周部と環状部材１１の内周部とが適度な力で圧接されることが望ましいが、溝１４の外周部の寸法（Ｄ２）には個体差によるバラツキがあり、また、経年変化等の影響で縮径化が生じる場合もあるので、環状部材１１の弾性復帰力のみでは環状部材１１の内周部を溝１４の外周部に圧接することが難しくなって、図２に二点鎖線で示すように、溝１４の外周部と環状部材１１の内周部との間に間隙（Δｄ’）が生じる場合もある。
【００２８】
この実施形態における絶縁部材１３の絶縁部は、図２に示されるように、実質的には溝１４の側壁部１４ａ，１４ｂによって形成されている。このうち側壁部１４ａからなる絶縁部は、ＵＳＢプラグ１０をＵＳＢコネクタ９に接続した状態で環状部材１１よりも装置内部に突入する位置に形成された絶縁部であり、側壁部１４ｂからなる絶縁部は、ＵＳＢプラグ１０をＵＳＢコネクタ９に接続した状態で環状部材１１よりも装置外側に突出する位置に形成された絶縁部である。
【００２９】
絶縁部材１３の外周部の寸法（Ｄ１）は環状部材１１の内周部の寸法（ｄ１）に比べて相対的に大きいので、ＵＳＢプラグ１０をＵＳＢコネクタ９に接続する際には、側壁部１４ａからなる絶縁部を含めた絶縁部材１３の先端部、つまり、図１中で溝１４よりも左側に位置する絶縁部材１３の部分が環状部材１１の内周部に干渉することになるが、環状部材１１の内周部には、絶縁部材１３の突入をガイドするテーパ面１１ａが形成されているので、環状部材１１の内周部をスムーズに弾性変形させて絶縁部材１３の先端部を容易に装置内部側に突入させることができる。これにより、環状部材１１の内周部や絶縁部材１３の先端部の損傷が防止される。
【００３０】
溝１４の側壁部１４ａ，１４ｂによって形成される２つの絶縁部は、共に、ＵＳＢプラグ１０の挿抜方向つまり図２の左右方向に沿って環状部材１１の内周部と重合する絶縁部であり、このうち、ＵＳＢプラグ１０をＵＳＢコネクタ９に接続した状態で環状部材１１よりも装置内部に突入する位置に形成された絶縁部、つまり、溝１４の側壁部１４ａによって形成される絶縁部が、ＵＳＢコネクタ９に接続されたＵＳＢプラグ１０の抜け落ちを防止している。
【００３１】
更に、図２においては、溝１４の外周部の寸法（Ｄ２）のバラツキ、あるいは、経年変化等の影響で溝１４の外形に縮径化が生じ、溝１４の外周部と環状部材１１の内周部との間に間隙が形成されたときの状態が一点鎖線で示されている。
【００３２】
このように、溝１４の外周部と環状部材１１の内周部との間に間隙が生じて絶縁部材１３と環状部材１１との間の圧接状態が確保されなくなった場合であっても、その嵌合部の間隙が２つの段差部を有する凹状の間隙となるため、この入り組んだ形状の間隙によって静電気の通り道を曲げて外部からＵＳＢコネクタ９やＵＳＢプラグ１０等の金属部分へ至る縁面距離を確保することで、装置外部からの静電気の印加を効果的に防止することができる（静電耐圧の向上）。
【００３３】
この実施形態では、絶縁部材１３の外周部形状の寸法（Ｄ１）を基準とし、これよりも小さな寸法（ｄ１）で環状部材１１の内周部を形成するようにしている。従って、設計上では絶縁部材１３と環状部材１１との間の圧接状態が確保されている。また、絶縁部材１３の形状や寸法のバラツキあるいは経年変化による絶縁部材１３の縮径化等で両者間の圧接状態が保証されなくなって溝１４の外周部と環状部材１１の内周部との間に間隙（Δｄ’）が生じたとしても、この入り組んだ形状の間隙によって装置外部からの静電気の印加を効果的に防止することができる。
また、絶縁部材１３の外周部形状の寸法（Ｄ１）を基準とし、これよりも小さな寸法（ｄ１）で環状部材１１の内周部を形成するようにしているので、プラグ１０を被覆する絶縁部材１３自体を大型化する必要はなく、特に、狭いスペースに密集して配備されるＵＳＢプラグ１０に対して有効である。
【実施例１】
【００３４】
本発明の他の実施例について図３に示す。この実施例は、環状部材１１の内周部の寸法（ｄ１）を絶縁部材１３の外周部の寸法（Ｄ１）と同等もしくは外周部の寸法（Ｄ１）に比べて僅かに小さく形成すると共に、絶縁部材１３の外周部を一巡する突条１５ａ，１５ｂを設け、これらの突条１５ａ，１５ｂによって絶縁部材１３の絶縁部を形成したものである。
【００３５】
突条１５ａ，１５ｂによって形成される２つの絶縁部は、共に、ＵＳＢプラグ１０の挿抜方向つまり図３の左右方向に沿って環状部材１１の内周部と重合する絶縁部であり、このうち突条１５ａからなる絶縁部は、ＵＳＢプラグ１０をＵＳＢコネクタ９に接続した状態で環状部材１１よりも装置内部に突入する位置に形成された絶縁部、また、突条１５ｂからなる絶縁部は、ＵＳＢプラグ１０をＵＳＢコネクタ９に接続した状態で環状部材１１よりも装置外側に突出する位置に形成された絶縁部であり、環状部材１１よりも装置内部に突入する位置に形成された突条１５ａからなる絶縁部が、ＵＳＢコネクタ９に接続されたＵＳＢプラグ１０の抜け落ちを防止している。
【００３６】
突条１５ａ，１５ｂの外周部の寸法（Ｄ３）は環状部材１１の内周部の寸法（ｄ１）に比べて相対的に大きいので、ＵＳＢプラグ１０をＵＳＢコネクタ９に接続する際には、突条１５ａからなる絶縁部が環状部材１１の内周部に干渉することになるが、環状部材１１の内周部には、突条１５ａの突入をガイドするテーパ面１１ａが形成されているので、絶縁部材１３の先端部を容易に装置内部側に突入させることができ、環状部材１１の内周部や突条１５ａの損傷が防止される。
【００３７】
絶縁部材１３の外周部の寸法（Ｄ１）に個体差によるバラツキがあったり、あるいは、経年変化等の影響で絶縁部材１３の外周部の寸法（Ｄ１）に縮径化が生じ、絶縁部材１３の外周部と環状部材１１の内周部との間に間隙が生じて絶縁部材１３と環状部材１１との間の圧接状態が確保されなくなった場合であっても、その嵌合部の間隙は図２に示した実施形態と同様、２つの段差部を有する凹状の間隙となるため、この入り組んだ形状の間隙によって、装置外部からの静電気の印加を効果的に防止することができる。
【００３８】
図３では２つの突条１５ａ，１５ｂを併設した例について示しているが、何れか一方の突条を設けるだけでも、絶縁部材１３の外周部と環状部材１１の内周部との間に間隙が生じた場合の装置外部からの静電気の印加を或る程度は防止することが可能である。
但し、突条を１つのみ設けた場合には、絶縁部材１３と環状部材１１との間の圧接状態が確保されなくなった場合に形成される間隙の形状が、１つの段差部のみを有するＬ字状のものとなるため、前述した凹状のものと比べると静電気の印加を防止する効果は低い。
突条１５ａ，１５ｂの何れか一方のみを設ける場合、突条１５ａ，１５ｂの何れを設けても装置外部からの静電気の印加を防止する効果は実質的に同等であるから、環状部材１１よりも装置内部に突入する位置に形成された突条１５ａを設け、この突条１５ａをＵＳＢプラグ１０の抜け止めとして利用することが望ましい。
【図面の簡単な説明】
【００３９】
【図１】本発明によるコネクタとプラグの接続構造の一実施形態について示した断面図である。
【図２】同実施形態のプラグをコネクタに接続した状態で示した断面図である。
【図３】本発明によるコネクタとプラグの接続構造の一実施例について示した断面図である（実施例１）。
【図４】装置のケーシングに穿設されたプラグ挿入孔に設けられた環状部材の内周部とプラグを被覆した絶縁部材の外周部とを当接させて装置外部からの静電気の印加を防止するようにしたコネクタとプラグの接続構造の一般例について示した断面図である。
【符号の説明】
【００４０】
１  ケーシング
２  プリント基板
３  コネクタ
４  ケーブル
５  プラグ
６  プラグ挿入孔
７  環状部材
８  絶縁部材
９  ＵＳＢコネクタ（コネクタ）
１０  ＵＳＢプラグ（プラグ）
１１  環状部材
１１ａ  テーパ面
１２  ＵＳＢケーブル
１３  絶縁部材
１４  溝
１４ａ  側壁部（絶縁部）
１４ｂ  側壁部（絶縁部）
１５ａ  突条（絶縁部）
１５ｂ  突条（絶縁部）
Δｄ，Δｄ’  間隙
ｄ１  環状部材の内周部の寸法
Ｄ１  絶縁部材の外周部の寸法
Ｄ２  溝の外周部の寸法
Ｄ３  突条の外周部の寸法
【図１】
2006164712.tif 000003
【図２】
2006164712.tif 000004
【図３】
2006164712.tif 000005
【図４】
2006164712.tif 000006